(57)【特許請求の範囲】
【請求項１】
左右方向に延びる壁部を有する筐体と、
前記壁部の少なくとも一部の領域の前側を覆う前面パネルと、を備え、
前記壁部の前記前面パネルによって覆われた領域に、ネットワークと無線で通信するネットワーク中継器が収納される空間の前端に通じる開口部が形成され、
前記開口部は、前記前面パネルの全て又は一部が外された又は開かれた状態において、露出する、
ことを特徴とする空気調和機の室内機。
【請求項２】
制御基板と、
前記空間に収納され、前記制御基板と前記ネットワークとを中継する前記ネットワーク中継器と、を備えた、
ことを特徴とする請求項１に記載の空気調和機の室内機。
【請求項３】
前記制御基板と前記ネットワーク中継器とは、前記壁部の後側に配設されたケーブルによって接続され、
前記ケーブルは、前記空間に収納された前記ネットワーク中継器を前記開口部から抜き出せる長さである、
ことを特徴とする請求項２に記載の空気調和機の室内機。
【請求項４】
前記ケーブルの途中部は、ケーブル固定部材によって固定され、
前記ケーブルのうちの前記途中部と前記ネットワーク中継器との間の領域は、前記空間に収納された前記ネットワーク中継器を前記開口部から抜き出せる長さである、
ことを特徴とする請求項３に記載の空気調和機の室内機。
【請求項５】
前記開口部の周縁の互いに対向する領域のそれぞれに、切り欠き部が形成された、
ことを特徴とする請求項１〜４の何れか一項に記載の空気調和機の室内機。
【請求項６】
前記ネットワーク中継器は、前記ネットワークとＷｉ−Ｆｉ通信する、
ことを特徴とする請求項１〜５の何れか一項に記載の空気調和機の室内機。
【発明の詳細な説明】
【技術分野】
【０００１】
本発明は、空気調和機の室内機に関するものである。
【背景技術】
【０００２】
近年、ＨＥＭＳ（Ｈｏｍｅ  Ｅｎｅｒｇｙ  Ｍａｎａｇｅｍｅｎｔ  Ｓｙｓｔｅｍ）、スマートグリッド等の普及に伴い、空気調和機のエネルギー管理に対する需要が高まっている。また、空気調和機を他の機器と共に管理する集中管理制御、空気調和機を宅外等の遠隔地から操作する遠隔操作等に対する需要が高まっている。
【０００３】
そして、それらの需要に応えるべく、ネットワークと無線で通信するネットワーク中継器を備えた空気調和機の室内機が提案されている。ネットワーク中継器は、空気調和機の室内機に内蔵された制御基板に接続される。空気調和機のエネルギー管理、集中管理制御、遠隔操作等に用いられる信号が、ネットワーク中継器を介してネットワークに送受信される。例えば、ネットワーク中継器には、通信状態、エラー状態等を表示するための表示灯が設けられる。また、例えば、ネットワーク中継器には、無線通信のオンとオフを切り替える操作、エラー時の修復の操作等のためのスイッチが設けられる。ネットワーク中継器は、例えば、空気調和機の室内機の近傍の壁面等に設けられる（例えば、特許文献１を参照。）。
【先行技術文献】
【特許文献】
【０００４】
【特許文献１】特開２００８−４９７５号公報（図７等）
【発明の概要】
【発明が解決しようとする課題】
【０００５】
ネットワーク中継器に設けられた表示灯の中には、常時点灯又は点滅するものもあり、ネットワーク中継器が、人の目に触れやすい場所に据え付けられる場合には、ユーザーが目障りと感じてしまう場合がある。また、ネットワーク中継器自体が露出しているため、ユーザーが部屋のインテリア性を損なうと感じてしまう場合がある。また、インテリア性を向上するために、ネットワーク中継器を空気調和機の室内機に内蔵させることも可能であるが、そのような場合には、ユーザーが、例えば、通信状態、エラー状態等を視認することができなくなり、また、スイッチを操作することができなくなって、機能性が低下してしまう。つまり、従来の空気調和機の室内機では、機能性を確保しつつインテリア性を向上することが困難であるという問題点があった。
【０００６】
本発明は、上記のような課題を背景としてなされたものであり、機能性を確保しつつインテリア性を向上することが可能な空気調和機の室内機を得るものである。
【課題を解決するための手段】
【０００７】
本発明に係る空気調和機の室内機は、左右方向に延びる壁部を有する筐体と、前記壁部の少なくとも一部の領域の前側を覆う前面パネルと、を備え、前記壁部の前記前面パネルによって覆われた領域に、ネットワークと無線で通信するネットワーク中継器が収納される空間の前端に通じる開口部が形成され、前記開口部は、前記前面パネルの全て又は一部が外された又は開かれた状態において、露出するものである。
【発明の効果】
【０００８】
本発明に係る空気調和機の室内機では、筐体の壁部の前面パネルによって覆われた領域に、ネットワークと無線で通信するネットワーク中継器が収納される空間の前端に通じる開口部が形成され、開口部は、前面パネルの全て又は一部が外された又は開かれた状態において、露出する。そのため、ネットワーク中継器を空気調和機の室内機に内蔵させて、インテリア性を向上することが可能である。また、空気調和機の室内機に内蔵されたネットワーク中継器を、必要に応じて空気調和機の室内機から取り出して、視認、操作等を行うことが可能であるため、機能性を確保することが可能である。
【図面の簡単な説明】
【０００９】
【図１】本発明の実施の形態１に係る空気調和機の室内機の、分解斜視図である。
【図２】本発明の実施の形態１に係る空気調和機の室内機の、断面図である。
【図３】本発明の実施の形態１に係る空気調和機の室内機に搭載されるネットワーク中継器の、正面図である。
【図４】本発明の実施の形態１に係る空気調和機の室内機の、前面パネルが取り外された状態での斜視図である。
【図５】本発明の実施の形態１に係る空気調和機の室内機の、筐体の壁部に形成された開口部における断面図である。
【図６】本発明の実施の形態１に係る空気調和機の室内機の、前面パネルと筐体の壁部とが取り外された状態での分解斜視図である。
【図７】本発明の実施の形態１に係る空気調和機の室内機の、前面パネルと筐体の壁部と電気品収納部材の制御基板収納部カバーとが取り外された状態での要部の斜視図である。
【図８】本発明の実施の形態１に係る空気調和機の室内機の、前面パネルと筐体の壁部と電気品収納部材の制御基板収納部カバーとが取り外された状態での要部の斜視図である。
【図９】本発明の実施の形態１に係る空気調和機の室内機の、前面パネルが取り外された状態での要部の斜視図である。
【発明を実施するための形態】
【００１０】
以下、本発明に係る空気調和機の室内機について、図面を用いて説明する。
なお、以下で説明する構成等は、一例であり、本発明に係る空気調和機の室内機は、そのような構成等である場合に限定されない。また、各図において、重複又は類似する部材又は部分には、符号を付すことを適宜省略している。
【００１１】
実施の形態１．
実施の形態１に係る空気調和機の室内機を説明する。
＜空気調和機の室内機の構成＞
実施の形態１に係る空気調和機の室内機の構成について説明する。
【００１２】
（全体構成）
図１は、本発明の実施の形態１に係る空気調和機の室内機の、分解斜視図である。図２は、本発明の実施の形態１に係る空気調和機の室内機の、断面図である。
図１及び図２に示されるように、空気調和機の室内機１００は、基台１と、送風ファン２と、熱交換器３と、ドレンパン組立体４と、フィルター自動清掃ユニット５と、電気品収納部材６と、筐体７と、前面パネル８（意匠パネル）と、を備える。ドレンパン組立体４は、上下風向調整板４ａを有する。
【００１３】
基台１に、送風ファン２と、熱交換器３と、電気品収納部材６が取り付けられたドレンパン組立体４と、が取り付けられる。また、基台１に、フィルター自動清掃ユニット５が取り付けられた筐体７がネジ等によって取り付けられる。筐体７は、左右方向に延びる壁部２１を有する。壁部２１は、筐体７から取り外すことができる。前面パネル８は、筐体７の前側に取り付けられ、壁部２１の前側が、前面パネル８によって覆われる。ユーザーは、前面パネル８を着脱することができる。
【００１４】
送風ファン２が駆動すると、空気調和機の室内機１００の上方の室内空気が、フィルター自動清掃ユニット５に取り付けられたフィルターを介して吸い込まれ、熱交換器３における熱交換によって冷気、暖気等になり、その冷気、暖気等が、ドレンパン組立体４の上下風向調整板４ａの間を通過して室内へ吹き出される。上下風向調整板４ａは、回動するものであり、空気調和機の室内機１００から吹き出される空気の上下方向の風向を調整する。
【００１５】
（ネットワーク中継器の構成）
実施の形態１に係る空気調和機の室内機に搭載されるネットワーク中継器の構成について説明する。
図３は、本発明の実施の形態１に係る空気調和機の室内機に搭載されるネットワーク中継器の、正面図である。
空気調和機の室内機１００には、図３に示されるような、ネットワーク中継器９が搭載される。ネットワーク中継器９は、後述される制御基板１０にケーブル９ａを介して接続され、ＬＡＮ、ＷＡＮ等のネットワークに無線で通信するものである。例えば、ネットワーク中継器９は、ＬＡＮ、ＷＡＮ等のネットワークにＷｉ−Ｆｉ通信する。
【００１６】
ネットワーク中継器９には、例えば、通信状態、エラー状態等を表示するための複数の表示灯９ｂが設けられる。また、ネットワーク中継器９には、例えば、無線通信のオンとオフを切り替える操作のためのスイッチ９ｃ、及び、遠隔操作の無効と有効を切り替える操作のためのスイッチ９ｄが設けられる。
【００１７】
（ネットワーク中継器の収納部の構成）
実施の形態１に係る空気調和機の室内機の、ネットワーク中継器の収納部の構成について説明する。
図４は、本発明の実施の形態１に係る空気調和機の室内機の、前面パネルが取り外された状態での斜視図である。図５は、本発明の実施の形態１に係る空気調和機の室内機の、筐体の壁部に形成された開口部における断面図である。図６は、本発明の実施の形態１に係る空気調和機の室内機の、前面パネルと筐体の壁部とが取り外された状態での分解斜視図である。なお、図４及び図５では、ネットワーク中継器９の図示が省略されている。
【００１８】
図４〜図６に示されるように、筐体７の壁部２１に、開口部２２が形成される。壁部２１の後側には、電気品収納部材６が配設される。電気品収納部材６には、前側が開口する箱状のネットワーク中継器収納部３１が形成される。開口部２２は、ネットワーク中継器収納部３１の開口部と対向する位置に形成される。ネットワーク中継器収納部３１の内側の空間３２に、ネットワーク中継器９が収納される。つまり、開口部２２は、ネットワーク中継器９が収納される空間３２の前端に通じる。
【００１９】
また、電気品収納部材６には、前側が開口する箱状の制御基板収納部３３が形成される。制御基板収納部３３には、制御基板１０が収納される。制御基板収納部３３は、制御基板収納部カバー３４によって覆われる。制御基板収納部カバー３４は、取り外すことができる。
【００２０】
つまり、空気調和機の室内機１００の、前面パネル８と筐体７の壁部２１と電気品収納部材６の制御基板収納部カバー３４とを取り外すことで、ネットワーク中継器９から延びるケーブル９ａを制御基板１０に接続することが可能となる。筐体７の壁部２１と電気品収納部材６の制御基板収納部カバー３４との取り外しは、ユーザーが行えるものであってもよく、また、ユーザーが行えないものであってもよい。
【００２１】
図７及び図８は、本発明の実施の形態１に係る空気調和機の室内機の、前面パネルと筐体の壁部と電気品収納部材の制御基板収納部カバーとが取り外された状態での要部の斜視図である。なお、図７では、ネットワーク中継器９のケーブル９ａが配線される前の状態を示しており、図８では、ネットワーク中継器９のケーブル９ａが配線された後の状態を示している。
【００２２】
図７及び図８に示されるように、ネットワーク中継器収納部３１の周壁のうちの、制御基板収納部３３に近い箇所には、前側が開口する溝部３１ａが形成される。溝部３１ａの開口は、筐体７の壁部２１によって覆われる。また、電気品収納部材６の、ネットワーク中継器収納部３１と制御基板収納部３３との間に位置する箇所には、ケーブル固定部材１１を取り付けるケーブル固定部材固定部３５が形成される。例えば、ケーブル固定部材１１は、結束バンドであり、ケーブル固定部材固定部３５は穴である。また、電気品収納部材６の、ネットワーク中継器収納部３１の下方には、ケーブル収納空間３６が形成される。
【００２３】
ネットワーク中継器９から延びるケーブル９ａは、溝部３１ａの内側を通って、ケーブル収納空間３６に至るように配線される。また、ケーブル９ａの途中部は、ケーブル固定部材固定部３５に固定されたケーブル固定部材１１によって固定される。また、ケーブル９ａの先端は、制御基板１０に接続される。ケーブル９ａのうちのケーブル固定部材１１によって固定された箇所とネットワーク中継器９との間の領域が、ケーブル収納空間３６に、充分に余裕のある長さが余る状態で収納された後、筐体７の壁部２１が取り付けられる。つまり、ケーブル９ａは、空間３２に収納されたネットワーク中継器９を、筐体７の壁部２１に形成された開口部２２から抜き出せる長さであり、また、ケーブル９ａのうちのケーブル固定部材１１によって固定された箇所とネットワーク中継器９との間の領域は、空間３２に収納されたネットワーク中継器９を、筐体７の壁部２１に形成された開口部２２から抜き出せる長さである。
【００２４】
なお、ケーブル固定部材固定部３５が、ネットワーク中継器収納部３１に形成されていてもよい。つまり、ケーブル固定部材１１が、ケーブル９ａのうちの溝部３１ａの内側に位置する箇所とネットワーク中継器９との間の領域を固定してもよく、そのような場合には、ネットワーク中継器収納部３１の内側にケーブル収納空間３６が形成されればよい。
【００２５】
図９は、本発明の実施の形態１に係る空気調和機の室内機の、前面パネルが取り外された状態での要部の斜視図である。
図９に示されるように、筐体７の壁部２１の開口部２２の周縁の互いに対向する領域のそれぞれに、切り欠き部２２ａが形成される。また、電気品収納部材６のネットワーク中継器収納部３１の周壁の、切り欠き部２２ａに対応する箇所には、段差部３１ｂが形成される。ユーザーは、切り欠き部２２ａ及び段差部３１ｂに指を入れて、ネットワーク中継器９を挟持することができる。図９では、切り欠き部２２ａ及び段差部３１ｂが、ネットワーク中継器９の上下方向に形成される場合を示しているが、そのような場合に限定されない。例えば、切り欠き部２２ａ及び段差部３１ｂが、ネットワーク中継器９の左右方向に形成されてもよい。
【００２６】
＜空気調和機の室内機の作用＞
実施の形態１に係る空気調和機の室内機の作用について説明する。
空気調和機の室内機１００では、筐体７の壁部２１の前面パネル８によって覆われた領域に、ネットワークと無線で通信するネットワーク中継器９が収納される空間３２の前端に通じる開口部２２が形成され、開口部２２は、前面パネル８が外された状態において、露出する。そのため、ネットワーク中継器９を空気調和機の室内機１００に内蔵させて、インテリア性を向上することが可能である。また、空気調和機の室内機１００に内蔵されたネットワーク中継器９を、必要に応じて空気調和機の室内機１００から取り出して、視認、操作等を行うことが可能であるため、機能性を確保することが可能である。
【００２７】
また、空気調和機の室内機１００では、制御基板１０とネットワーク中継器９とは、筐体７の壁部２１の後側に配設されたケーブル９ａによって接続され、ケーブル９ａは、空間３２に収納されたネットワーク中継器９を開口部２２から抜き出せる長さである。そのため、ネットワーク中継器９を空気調和機の室内機１００から取り出す際に、制御基板１０からケーブル９ａが抜けてしまうこと、ケーブル９ａの制御基板１０との接続部に負荷がかかってしまうこと、等が抑制されて、ユーザーの使い勝手が向上される。
【００２８】
また、空気調和機の室内機１００では、ケーブル９ａの途中部は、ケーブル固定部材１１によって固定され、ケーブル９ａのうちのケーブル固定部材１１によって固定された箇所とネットワーク中継器９との間の領域は、空間３２に収納されたネットワーク中継器９を開口部２２から抜き出せる長さである。そのため、ネットワーク中継器９を空気調和機の室内機１００から取り出す際に、制御基板１０からケーブル９ａが抜けてしまうこと、ケーブル９ａの制御基板１０との接続部に負荷がかかってしまうこと、等が更に抑制されて、ユーザーの使い勝手が更に向上される。
【００２９】
また、空気調和機の室内機１００では、開口部２２の周縁の互いに対向する領域のそれぞれに、切り欠き部２２ａが形成される。そのため、ネットワーク中継器９を空気調和機の室内機１００から取り出す際に、指でネットワーク中継器９を挟持することが可能となって、ユーザーの使い勝手が向上される。
【００３０】
＜変形例＞
以上では、ネットワーク中継器９が、開口部２２側に表示灯９ｂ及びスイッチ９ｃ、９ｄが配設されない面が位置する状態で、空間３２に収納される場合を説明しているが、ネットワーク中継器９が、開口部２２側に表示灯９ｂ及びスイッチ９ｃ、９ｄが配設される面が位置する状態で、空間３２に収納されてもよい。そのような場合には、ネットワーク中継器９を、空気調和機の室内機１００から取り出さずに、視認、操作等を行うことできるため、ユーザーの使い勝手が向上される。また、ネットワーク中継器９の正面に、表示灯９ｂ及びスイッチ９ｃ、９ｄが配設される場合を説明しているが、ネットワーク中継器９の正面以外の面に、表示灯９ｂ及びスイッチ９ｃ、９ｄが配設されてもよい。
【００３１】
以上では、前面パネル８が、筐体７の前面の全てを覆うものである場合を説明しているが、前面パネル８が、筐体７の一部を覆うものであってもよく、少なくとも壁部２１の開口部２２が形成された領域を覆うものであればよい。また、前面パネル８が外されることで、筐体７の壁部２１に形成された開口部２２が露出する場合を説明しているが、前面パネル８の一部が外されることで、筐体７の壁部２１に形成された開口部２２が露出してもよく、また、前面パネル８の全て又は一部が自動又は手動で開かれることで、筐体７の壁部２１に形成された開口部２２が露出してもよい。
【符号の説明】
【００３２】
１  基台、２  送風ファン、３  熱交換器、４  ドレンパン組立体、４ａ  上下風向調整板、５  フィルター自動清掃ユニット、６  電気品収納部材、７  筐体、８  前面パネル、９  ネットワーク中継器、９ａ  ケーブル、９ｂ  表示灯、９ｃ、９ｄ  スイッチ、１０  制御基板、１１  ケーブル固定部材、２１  壁部、２２  開口部、２２ａ  切り欠き部、３１  ネットワーク中継器収納部、３１ａ  溝部、３１ｂ  段差部、３２  空間、３３  制御基板収納部、３４  制御基板収納部カバー、３５  ケーブル固定部材固定部、３６  ケーブル収納空間、１００  空気調和機の室内機。
【図１】
0006270658.tif 000002
【図２】
0006270658.tif 000003
【図３】
0006270658.tif 000004
【図４】
0006270658.tif 000005
【図５】
0006270658.tif 000006
【図６】
0006270658.tif 000007
【図７】
0006270658.tif 000008
【図８】
0006270658.tif 000009
【図９】
0006270658.tif 000010